(57)【要約】      （修正有）【課題】植物が日光を十分に浴びて順調に成長させることができると共に、鉢本体と連結座又は固定座を容易に連結することができる鉢構造を提供する。【解決手段】鉢構造は、固定座１０及び鉢本体２０を備える。固定座の一側には、結合座１１が設けられ、固定座の内部には、位置決め凹部１２が設けられる。位置決め凹部には、鉢本体が嵌着される。固定座の他側には、貼合面１３が設けられる。貼合面は平滑面である。固定座は、貼合面を利用して物品の平滑面の何れかの位置に直接貼り合わされる。鉢本体の内部には、水受空間２１が形成される。鉢本体の内部には、植栽鉢が取り付けられる。鉢本体には、固定座に対応した位置に結合座２２が設けられ、結合座には、位置決め凹部に対応した位置に位置決め凸部２３が設けられる。位置決め凸部は、上方向から下方向にかけて位置決め凹部中に位置決めされる。【選択図】図２
0003215545.tif 000002
【実用新案登録請求の範囲】
【請求項１】
固定座及び鉢本体を備えた鉢構造であって、
前記固定座の一側には、結合座が設けられ、前記固定座の内部には、位置決め凹部が設けられ、前記位置決め凹部には、前記鉢本体が嵌着され、前記固定座の他側には、貼合面が設けられ、前記貼合面は平滑面であり、前記固定座は、前記貼合面を利用して物品の平滑面の何れかの位置に直接貼り合わされ、
前記鉢本体の内部には、水受空間が形成され、前記鉢本体の内部には、植栽鉢が取り付けられ、前記鉢本体には、前記固定座に対応した位置に前記結合座が設けられ、前記結合座には、前記位置決め凹部に対応した位置に位置決め凸部が設けられ、前記鉢本体の前記位置決め凸部は、上方向から下方向にかけて前記位置決め凹部中に位置決めされることを特徴とする鉢構造。
【請求項２】
前記植栽鉢は土耕用植栽鉢であることを特徴とする請求項１に記載の鉢構造。
【請求項３】
前記植栽鉢は水耕用植栽鉢であることを特徴とする請求項１に記載の鉢構造。
【請求項４】
前記鉢本体は長筒状であることを特徴とする請求項１に記載の鉢構造。
【請求項５】
前記鉢本体は扁平状であることを特徴とする請求項１に記載の鉢構造。
【請求項６】
前記物品は壁、タイル、ガラス、キャビネット又は机であることを特徴とする請求項１に記載の鉢構造。
【請求項７】
前記鉢本体の底部の中心部には、立柱が設けられることを特徴とする請求項１に記載の鉢構造。
【請求項８】
前記鉢本体と前記固定座との間には、連結座が設けられ、
前記鉢本体の前記結合座の内部には、少なくとも１つの位置決め凹溝が設けられ、
前記位置決め凹溝には、前記連結座が嵌合され、
前記連結座の一側には、前記鉢本体の前記位置決め凹溝に対応した位置に位置決め凸部が設けられ、
前記位置決め凸部は、前記鉢本体の前記位置決め凹溝に嵌合され、
前記連結座の他側には、前記固定座の前記位置決め凹部に対応した位置に位置決め凸部が設けられ、前記位置決め凸部は、前記固定座の前記位置決め凹部に嵌合されることを特徴とする請求項１に記載の鉢構造。
【考案の詳細な説明】
【技術分野】
【０００１】
本考案は、鉢構造に関するものであり、さらに詳しくは、固定座の一側に設けられた結合座と、鉢本体に設けられた結合座とを嵌着させて一体化させ、固定座の他側の貼合面を物品の平滑面の何れかの位置に直接貼り合わせて固定する鉢構造に関するものである。
【背景技術】
【０００２】
従来の植栽鉢は、机又は棚の上に置いて使用することしかできず、植栽鉢を壁、タイル、ガラス、キャビネット、机などの物品上に置く場合、壁などの物品上にフックを設けたり、棚に釘で固定したりし、掛けるか又は載置して使用していたため、太陽光の照射方向に応じて鉢の位置を変えることができず、植物に十分な日光を浴びさせて光合成を行うことはできなかった。そのため、植物を順調に成長させることができない上、壁などの物品上に釘痕が残り、使用が制限を受けていたため、改善が求められていた。
【考案の概要】
【考案が解決しようとする課題】
【０００３】
本考案の主な課題は、植物が日光を十分に浴びて光合成を行うことができ、植物を順調に成長させることができると共に、必要に応じて、鉢本体と連結座又は固定座を容易に連結することができる鉢構造を提供することにある。
【課題を解決するための手段】
【０００４】
そこで、本考案者は、本考案の前記課題を解決するために鋭意検討を重ねたところ、鉢本体に固定座を結合し、かかる固定座を利用することにより、鉢本体を固定し、鉢本体内に植栽鉢を取り付けることにより、前記課題を解決できる点に着目し、本考案に想到するに至った。
すなわち、本考案により、鉢本体及び固定座を備え、鉢本体の内部には、水受空間が形成され、鉢本体の内部には、植栽鉢が取り付けられ、鉢本体及び固定座の互いに対応した側部には、結合座がそれぞれ設けられ、それら２つの結合座には、嵌合し合う位置決め凸部及び位置決め凹部が互いに対応するように設けられ、固定座の他側には、貼合面が設けられ、貼合面は平滑面であり、固定座は、貼合面を利用して物品の平滑面の何れかの位置に直接貼り合わされる鉢構造を提供することにある。
【０００５】
かくして、本考案の要旨は、次の（１）〜（８）に記載の通りのものである。
（１）固定座及び鉢本体を備えた鉢構造であって、
前記固定座の一側には、結合座が設けられ、前記固定座の内部には、位置決め凹部が設けられ、前記位置決め凹部には、前記鉢本体が嵌着され、前記固定座の他側には、貼合面が設けられ、前記貼合面は平滑面であり、前記固定座は、前記貼合面を利用して物品の平滑面の何れかの位置に直接貼り合わされ、
前記鉢本体の内部には、水受空間が形成され、前記鉢本体の内部には、植栽鉢が取り付けられ、前記鉢本体には、前記固定座に対応した位置に前記結合座が設けられ、前記結合座には、前記位置決め凹部に対応した位置に位置決め凸部が設けられ、前記鉢本体の前記位置決め凸部は、上方向から下方向にかけて前記位置決め凹部中に位置決めされることを特徴とする鉢構造。
（２）前記植栽鉢は土耕用植栽鉢であることを特徴とする前記（１）に記載の鉢構造。
（３）前記植栽鉢は水耕用植栽鉢であることを特徴とする前記（１）に記載の鉢構造。
（４）前記鉢本体は長筒状であることを特徴とする前記（１）に記載の鉢構造。
（５）前記鉢本体は扁平状であることを特徴とする前記（１）に記載の鉢構造。
（６）前記物品は壁、タイル、ガラス、キャビネット又は机であることを特徴とする前記（１）に記載の鉢構造。
（７）前記鉢本体の底部の中心部には、立柱が設けられることを特徴とする前記（１）に記載の鉢構造。
（８）前記鉢本体と前記固定座との間には、連結座が設けられ、
前記鉢本体の前記結合座の内部には、少なくとも１つの位置決め凹溝が設けられ、
前記位置決め凹溝には、前記連結座が嵌合され、
前記連結座の一側には、前記鉢本体の前記位置決め凹溝に対応した位置に位置決め凸部が設けられ、
前記位置決め凸部は、前記鉢本体の前記位置決め凹溝に嵌合され、
前記連結座の他側には、前記固定座の前記位置決め凹部に対応した位置に位置決め凸部が設けられ、前記位置決め凸部は、前記固定座の前記位置決め凹部に嵌合されることを特徴とする前記（１）に記載の鉢構造。
【考案の効果】
【０００６】
本考案は、前記の通りの構成からなるものであり、使用者が物品の平滑面に鉢構造の固定座の貼合面を直接貼り合わせることにより、植物が日光を十分に浴びて光合成を行うことができると共に、植物を成長させることができる構造を提供することができる。
【考案を実施するための形態】
【０００７】
まず、図１及び図２を参照する。図１は、本考案の第１実施形態に係る鉢構造を示す組立斜視図である。図２は、本考案の第１実施形態に係る鉢構造を示す分解斜視図である。図１及び図２に示すように、本考案の一実施形態に係る鉢構造は、少なくとも固定座１０及び鉢本体２０から構成されてなる。
【０００８】
固定座１０の一側には、結合座１１が設けられる。固定座１０内部には、横断面がＴ字状の位置決め凹部１２が設けられる。位置決め凹部１２には、鉢本体２０が嵌着される。固定座１０の他側には貼合面１３が設けられる。貼合面１３は平滑面である。固定座１０は、貼合面１３を利用して物品の平滑面の何れかの位置に直接貼り合わされる。
【０００９】
鉢本体２０は、如何なる形状でもよく、例えば長筒状でもよい。鉢本体２０内部には、水受空間２１が形成される。鉢本体２０には、上述した固定座１０に対応した位置に結合座２２が設けられる。結合座２２の外側面には、横断面がＴ字状の位置決め凸部２３が設けられ、鉢本体２０の位置決め凸部２３は、上から下方向にかけて位置決め凹部１２中に位置決めされる。鉢本体２０底部の中心部には、植栽鉢を置くために用いる立柱２４が設けられる。植栽鉢は、土耕用植栽鉢又は水耕用植栽鉢として用いてもよく、植栽鉢と鉢本体２０内部の水受空間２１との間には、空気を流通させるために適切な間隔を設け、病菌が増殖して根部が腐敗することを防ぎ、植物を健康に成長させることができる上、小植栽鉢を容易に手で持ち上げたり置いたりすることができるように、小植栽鉢が嵩上げされている。
【００１０】
図３〜図６を参照する。図３は、本考案の第２実施形態に係る鉢構造を示す組立斜視図である。図４は、本考案の第２実施形態に係る鉢構造を示す分解斜視図である。図５は、本考案の第２実施形態に係る鉢構造を示す断面図である。図６は、図５の線Ｅに沿った断面図である。図３〜図６に示すように、本考案の第２実施形態に係る鉢構造は、少なくとも固定座１０、鉢本体２０及び連結座３０から構成されてなる。
【００１１】
固定座１０の一側には、結合座１１が設けられる。固定座１０内部には、横断面がＴ字状の位置決め凹部１２が設けられる。位置決め凹部１２には、連結座３０が嵌着される。固定座１０の他側には、貼合面１３が設けられる。貼合面１３は平滑面である。固定座１０は、貼合面１３を利用して物品の平滑面の何れかの位置に直接貼り合わせることができる。
【００１２】
鉢本体２０内部には、水受空間２１が形成される。鉢本体２０には、上述した連結座３０に対応した位置に結合座２２が設けられる。結合座２２内部には、複数の位置決め凹溝２５が形成される。位置決め凹溝２５には、連結座３０が嵌合される。鉢本体２０底部の中心部には、大植栽鉢１（図７を参照する）又は小植栽鉢２（図８を参照する）を置くために用いる立柱２４が設けられる。大植栽鉢１又は小植栽鉢２は、鉢本体２０内部の水受空間２１との間に空気を流通させるために適切な間隔を設け、病菌が増殖して根部が腐敗することを防ぎ、植物を健康に成長させることができる上、小植栽鉢２を容易に手で持ちあげたり置いたりすることができるように、小植栽鉢２が嵩上げされている。
【００１３】
連結座３０には、上述した固定座１０の位置決め凹部１２に対応した、横断面がＴ字状の位置決め凸部３１が設けられ、連結座３０の位置決め凸部３１が上から下方向にかけて位置決め凹部１２中に位置決めされる。連結座３０には、上述した鉢本体２０の位置決め凹溝２５に対応した位置に横断面がＴ字状の位置決め凸部３２が設けられる。鉢本体２０の結合座２２の位置決め凹溝２５のうちの１つには、上から下方向にかけて連結座３０の位置決め凸部３２が位置決めされるとともに、選択した位置決め凹溝２５に依り鉢本体２０と連結座３０との間の間隔距離が変わるため、大植栽鉢１又は小植栽鉢２と、壁などの物品との間の間隔距離を適切なものにすることができる。
【００１４】
図９〜図１４を参照する。図９は、本考案の第３実施形態に係る鉢構造を示す組立斜視図である。図１０は、本考案の第４実施形態に係る鉢構造を示す組立斜視図である。図１１は、本考案の第３実施形態に係る鉢構造を示す分解斜視図及びＢ部分の拡大図である。図１２は、本考案の第４実施形態に係る鉢構造を示す分解斜視図である。図１３は、本考案の第３実施形態に係る鉢構造を示す断面図である。図１４は、本考案の第４実施形態に係る鉢構造を示す断面図である。図９〜図１４に示すように、本実施形態の鉢本体２０は、如何なる形状でもよく、第１実施形態及び第２実施形態の長筒状以外に、扁平状でもよく、扁平状鉢本体２０は深さが浅めであるため、底部の中心部に立柱２４を設ける必要はない。
【００１５】
上述した各部材構造を組み合わせて本考案の鉢構造を構成する。以下、本考案の鉢構造の実際の操作について説明する。
【００１６】
図１５〜図１８を参照する。図１５は、本考案の第３実施形態に係る鉢構造の固定座及び連結座を窓壁上に貼り合わせた使用状態の説明図である。図１６は、本考案の第３実施形態に係る鉢構造の鉢本体と連結座とを接続した使用状態の説明図である。図１７は、本考案の第４実施形態に係る鉢構造の固定座を窓壁上に貼り合わせた使用状態の説明図である。図１８は、本考案の第４実施形態に係る鉢構造の鉢本体と固定座とを接続した使用状態の説明図である。図１５〜図１８に示すように、使用者が物品の平滑面の何れかの位置（例えば窓壁上など）に固定座１０の貼合面１３を直接貼り合わせると、植物が日光を十分に浴びて光合成を行い、植物を健康に成長させることができるとともに、実際の必要に応じて鉢本体２０と連結座３０とを結合したり（図１５及び図１６を参照する）、鉢本体２０と固定座１０とを結合したり（図１７及び図１８を参照する）することができる。
【図面の簡単な説明】
【００１７】
【図１】図１は、本考案の第１実施形態に係る鉢構造を示す組立斜視図である。
【図２】図２は、本考案の第１実施形態に係る鉢構造を示す分解斜視図である。
【図３】図３は、本考案の第２実施形態に係る鉢構造を示す組立斜視図である。
【図４】図４は、本考案の第２実施形態に係る鉢構造を示す分解斜視図である。
【図５】図５は、本考案の第２実施形態に係る鉢構造を示す断面図である。
【図６】図６は、図５の線Ｅに沿った断面図である。
【図７】図７は、本考案の第２実施形態に係る鉢構造を大植栽鉢に応用した使用状態の説明図である。
【図８】図８は、本考案の第２実施形態に係る鉢構造を小植栽鉢に応用した使用状態の説明図である。
【図９】図９は、本考案の第３実施形態に係る鉢構造を示す組立斜視図である。
【図１０】図１０は、本考案の第４実施形態に係る鉢構造を示す組立斜視図である。
【図１１】図１１は、本考案の第３実施形態に係る鉢構造を示す分解斜視図及びＢ部分の拡大図である。
【図１２】図１２は、本考案の第４実施形態に係る鉢構造を示す分解斜視図である。
【図１３】図１３は、本考案の第３実施形態に係る鉢構造を示す断面図である。
【図１４】図１４は、本考案の第４実施形態に係る鉢構造を示す断面図である。
【図１５】図１５は、本考案の第３実施形態に係る鉢構造の固定座及び連結座を窓壁上に貼り合わせた使用状態の説明図である。
【図１６】図１６は、本考案の第３実施形態に係る鉢構造の鉢本体と連結座とを接続した使用状態の説明図である。
【図１７】図１７は、本考案の第４実施形態に係る鉢構造の固定座を窓壁上に貼り合わせた使用状態の説明図である。
【図１８】図１８は、本考案の第４実施形態に係る鉢構造の鉢本体と固定座とを接続した使用状態の説明図である。
【符号の説明】
【００１８】
１  大植栽鉢
２  小植栽鉢
１０  固定座
１１  結合座
１２  位置決め凹部
１３  貼合面
２０  鉢本体
２１  水受空間
２２  結合座
２３  位置決め凸部
２４  立柱
２５  位置決め凹溝
３０  連結座
３１  位置決め凸部
３２  位置決め凸部
【図１】
0003215545.tif 000003
【図２】
0003215545.tif 000004
【図３】
0003215545.tif 000005
【図４】
0003215545.tif 000006
【図５】
0003215545.tif 000007
【図６】
0003215545.tif 000008
【図７】
0003215545.tif 000009
【図８】
0003215545.tif 000010
【図９】
0003215545.tif 000011
【図１０】
0003215545.tif 000012
【図１１】
0003215545.tif 000013
【図１２】
0003215545.tif 000014
【図１３】
0003215545.tif 000015
【図１４】
0003215545.tif 000016
【図１５】
0003215545.tif 000017
【図１６】
0003215545.tif 000018
【図１７】
0003215545.tif 000019
【図１８】
0003215545.tif 000020